(57)【要約】【課題】連写機能に追従Ｆ機能を組み合わせて使用できないデジタルカメラを用いて、より良い写真を撮影できるようなデジタルカメラの制御装置、制御プログラム及び撮影システムを提供する。【解決手段】ユーザーから固定フォーカスでの連続撮影指示または追従フォーカスでの連続撮影指示のいずれかを受け付ける操作部２１と、操作部が固定フォーカスでの連続撮影指示を受け付けると、デジタルカメラに対して連続撮影コマンドを出力し、操作部が追従フォーカスでの連続撮影指示を受け付けると、デジタルカメラに対してフォーカスを合わせるように指示するフォーカスコマンド及び画像を一枚撮影するよう指示する一枚撮影コマンドを、交互に繰り返し出力するＣＰＵ２３とを備える。【選択図】図２
2011197210.tif 000002
【特許請求の範囲】
【請求項１】
連続撮影コマンドを受け付けると、フォーカスを固定した状態で連続撮影を行って、撮影した画像に係る画像データを生成するデジタルカメラを制御するデジタルカメラの制御装置であって、
ユーザーから固定フォーカスでの連続撮影指示または追従フォーカスでの連続撮影指示のいずれかを受け付ける受付手段と、
前記受付手段が固定フォーカスでの連続撮影指示を受け付けると、前記デジタルカメラに対して前記連続撮影コマンドを出力し、前記受付手段が追従フォーカスでの連続撮影指示を受け付けると、前記デジタルカメラに対してフォーカスを合わせるように指示するフォーカスコマンド及び画像を一枚撮影するよう指示する一枚撮影コマンドを、交互に繰り返し出力するコマンド出力手段と、を備えるデジタルカメラの制御装置。
【請求項２】
前記受付手段は、撮影枚数を指定しない無限枚数連続撮影指示または撮影枚数を指定した有限枚数連続撮影指示を受け付け、
前記コマンド出力手段は、固定フォーカスでの連続撮影指示を受け付けた場合に、
前記受付手段が前記無限枚数連続撮影指示を受け付けると、連続撮影開始時に前記デジタルカメラに対して連続撮影の開始を指示する連続撮影開始コマンドを出力し、連続撮影終了時に前記デジタルカメラに対して連続撮影の終了を指示する連続撮影終了コマンドを出力し、
前記受付手段が前記有限枚数連続撮影指示を受け付けると、指定された撮影枚数の回数だけ、前記一枚撮影コマンドを、繰り返し出力する、請求項１記載のデジタルカメラの制御装置。
【請求項３】
連続撮影コマンドを受け付けると、フォーカスを固定した状態で連続撮影を行って、撮影した画像に係る画像データを生成するデジタルカメラを制御するプログラムであって、
ユーザーから固定フォーカスでの連続撮影指示または追従フォーカスでの連続撮影指示のいずれかを受け付けるステップと、
前記ステップにおいて、前記固定フォーカスでの連続撮影指示が受け付けられると、前記デジタルカメラに対して前記連続撮影コマンドを出力し、前記追従フォーカスでの連続撮影指示が受け付けられると、前記デジタルカメラに対してフォーカスを合わせるように指示するフォーカスコマンド及び画像を一枚撮影するよう指示する一枚撮影コマンドを、交互に繰り返し出力するステップと、を備えるプログラム。
【請求項４】
連続撮影コマンドを受け付けると、フォーカスを固定した状態で連続撮影を行って、撮影した画像に係る画像データを生成するデジタルカメラと、
前記デジタルカメラを制御する制御装置とを備えた撮影システムであって、
前記制御装置は、
ユーザーから固定フォーカスでの連続撮影指示または追従フォーカスでの連続撮影指示のいずれかを受け付ける受付手段と、
前記受付手段が固定フォーカスでの連続撮影時指示を受け付けると、前記デジタルカメラに対して前記連続撮影コマンドを出力し、前記受付手段が追従フォーカスでの連続撮影指示を受け付けると、前記デジタルカメラに対してフォーカスを合わせるように指示するフォーカスコマンド及び画像を一枚撮影するよう指示する一枚撮影コマンドを、繰り返し出力するコマンド出力手段と、を備える撮影システム。
【発明の詳細な説明】
【技術分野】
【０００１】
本発明は、デジタルカメラの制御装置、制御プログラム及び撮影システムに関する。
【背景技術】
【０００２】
通常、デジタルカメラには、画像撮影に関する数々の機能が備わっている。これら機能は、例えば、１回の撮影開始操作によって、画像を複数枚連続して撮影する連写機能、撮影した画像を直ちに表示するクイックビュー機能、自動的に被写体に焦点を合わせるオートフォーカス（以下「ＡＦ」という）機能等である。これらの機能は、単機能で使用されることもあれば、複数の機能を組み合わせて使用されることもある。例えば、連写機能と、クイックビュー機能とを備え、連写が行われた時には、煩雑な操作なしに連続撮影した複数の画像を一度にクイックビュー表示することができるデジタルカメラが知られている（特許文献１）。
【先行技術文献】
【特許文献】
【０００３】
【特許文献１】特開２００７−７９０９２号公報
【発明の概要】
【発明が解決しようとする課題】
【０００４】
ところで、ＡＦ機能には、さらに、固定フォーカス（以下、「固定Ｆ」という）機能、追従フォーカス（以下、「追従Ｆ」という）機能という２つの機能がある。固定Ｆ機能は、シャッタースイッチの半押し等によって合焦した位置でレンズが固定される機能である。固定Ｆは、例えば一枚撮影機能と組み合わせて使用した場合であっても、シャッタースイッチ半押しから全押し（撮影）に移行するまでに被写体が動いたとき等はいわゆるピンボケしてしまうことがあるが、特に、連写機能と組み合わせて使用する場合には、撮影の後半が被写体が動くことでピントのずれが大きくなり、ピンボケしてしまいやすくなる等の問題がある。一方、追従Ｆ機能は、撮影の瞬間の焦点の位置で合焦する機能である。このため、連写機能と組み合わせての使用に適している。
【０００５】
一方、デジタルカメラを、遠隔制御する外部機器として、例えば、レリーズ装置、フォトビューワ等が知られている。これらの外部制御装置によって、ユーザーは、デジタルカメラを直接操作しなくても、シャッタースイッチの開閉等を制御することが出来る。
【０００６】
しかしながら、デジタルカメラを外部制御装置で制御する場合、デジタルカメラによっては、連写機能に追従Ｆ機能を組み合わせて使用できない場合がある。この場合、連写時には必然的に固定Ｆを使用してしまうため、後半の撮影はピンボケしてしまうというおそれがあった。
【０００７】
また、デジタルカメラを外部制御装置で制御する場合、連写機能を使用する際に撮影枚数の指定が出来ない場合があり、枚数を指定して連続撮影したいというユーザーからの要請があった。
【０００８】
本発明の目的は、連写機能に追従Ｆ機能を組み合わせて使用できないデジタルカメラを用いて、より良い写真を撮影できるようなデジタルカメラの制御装置、制御プログラム及び撮影システムを提供することである。
【課題を解決するための手段】
【０００９】
本発明の一つの実施態様に従う制御装置は、連続撮影コマンドを受け付けると、フォーカスを固定した状態で連続撮影を行って、撮影した画像に係る画像データを生成するデジタルカメラを制御するデジタルカメラの制御装置であって、ユーザーから固定フォーカスでの連続撮影指示または追従フォーカスでの連続撮影指示のいずれかを受け付ける受付手段と、前記受付手段が固定フォーカスでの連続撮影指示を受け付けると、前記デジタルカメラに対して前記連続撮影コマンドを出力し、前記受付手段が追従フォーカスでの連続撮影指示を受け付けると、前記デジタルカメラに対してフォーカスを合わせるように指示するフォーカスコマンド及び画像を一枚撮影するよう指示する一枚撮影コマンドを、交互に繰り返し出力するコマンド出力手段と、を備える。
【００１０】
これにより、連写機能に追従Ｆ機能を組み合わせて使用できないデジタルカメラを用いた場合であっても、固定Ｆ機能及び連写機能を使用する際に、撮影枚数を設定でき、所望の枚数分だけ連続撮影することができる。
【００１１】
好適な実施態様では、前記受付手段は、撮影枚数を指定しない無限枚数連続撮影指示または撮影枚数を指定した有限枚数連続撮影指示を受け付け、前記コマンド出力手段は、前記受付手段が前記無限枚数連続撮影指示を受け付けると、連続撮影開始時に前記デジタルカメラに対して連続撮影の開始を指示する連続撮影開始コマンドを出力し、連続撮影終了時に前記デジタルカメラに対して連続撮影の終了を指示する連続撮影終了コマンドを出力し、前記受付手段が前記有限枚数連続撮影指示を受け付けると、指定された撮影枚数の回数だけ、前記フォーカスコマンド及び前記一枚撮影コマンドを、交互に繰り返し出力する。
【００１２】
これにより、連写機能に追従Ｆ機能を組み合わせて使用できないデジタルカメラを用いた場合であっても、連写機能使用の際に、併せて追従Ｆ機能を使用でき、連続撮影される画像のピンボケを防止することができる。また、連続撮影の際の枚数指定が出来ないデジタルカメラ１０においても、連写機能を使用する際に、撮影枚数を設定でき、所望の枚数分だけ連続撮影することができる。
【図面の簡単な説明】
【００１３】
【図１】本発明の一実施形態に係る撮影システムを示す模式図である。
【図２】図１の撮影システムのブロック図である。
【図３】固定Ｆ、連続撮影指示が行われた場合の撮影メニュー画面表示を示す説明図である。
【図４】追従Ｆ、連続撮影指示が行われた場合の撮影メニュー画面表示を示す説明図である。
【図５】複合機の動作を説明するためのフローチャートである。
【発明を実施するための形態】
【００１４】
以下、本発明にかかる撮影システムの好適な一実施形態について図面に基づいて説明する。本実施形態において、撮影システム１は、デジタルカメラ１０、及びデジタルカメラ１０に接続される制御装置２０を備える。本実施形態において、以下に説明されるデジタルカメラ１０は、連写機能、ＡＦ機能（固定Ｆ機能及び追従Ｆ機能）等、複数の機能を兼ね備えた機種である。また、制御装置２０は、デジタルカメラ１０を遠隔制御するための装置であるが、制御機能だけでなく、画像表示、画像データ保存等、種種の機能を兼ね備えた装置であってもよく、例えばフォトビューワ―、レリーズ装置等の可搬型の装置であってもよいし、ＰＣ等であってもよい。
【００１５】
図1は本発明の一実施形態に係る撮影システム１の模式図である。撮影システム１は、デジタルカメラ１０と、デジタルカメラ１０にＵＳＢ等のケーブル２を介して接続される制御装置２０を備える。
【００１６】
デジタルカメラ１０は単体での使用も可能であるが、制御装置２０を接続した場合には、制御装置２０に遠隔操作されるようにしてもよい。また、図示例では、デジタルカメラ１０と制御装置２０は、ケーブル２を介して接続されているが、無線接続であってもよい。つまり、デジタルカメラ１０は、制御装置２０から制御コマンドを受け付けてそのコマンドに従って動作する。
【００１７】
図２は、撮影システム１の構成を概略的に示したブロック図である。
【００１８】
デジタルカメラ１０及び制御装置２０は、それぞれのインターフェース部(以下、Ｉ/Ｆ部という)１７，２５を介して互いに接続される。デジタルカメラ１０及び制御装置２０の構成を以下に説明する。
【００１９】
＜デジタルカメラの構成＞
デジタルカメラ１０は、操作部１１、イメージセンサ１２、ＣＰＵ１３、記憶部１４、シャッター駆動装置１５、フォーカス駆動装置１６、及び、Ｉ/Ｆ部１７を備える。
【００２０】
操作部１１は、撮影実行を指示するためのシャッタースイッチ、各種機能実現のための撮影機能選択スイッチ等、ユーザーにより操作される複数の操作子（図示なし）を備える。例えば、デジタルカメラ１０は動作モードとして、一枚撮影機能に対応する「一枚撮影モード」、及び、連続撮影機能に対応する「連続撮影モード」を備え、フォーカスモードとして、自動的に被写体に焦点を合わせる「ＡＦモード」、及び、手動で焦点合わせを行う「マニュアルフォーカス（ＭＦ）モード」備える。そして、ユーザーが操作部１１を操作することによって、それぞれのモードを設定することができる。
【００２１】
操作部１１は、これらの操作子が操作された場合に、その操作内容をユーザー指示内容として受け付け、ＣＰＵ１３に出力する。また、操作部１１は、例えば、表示パネル（図示なし）と一体に構成されたタッチパネルにおける操作内容を受け付け、ＣＰU１３に出力してもよい。
【００２２】
イメージセンサ１２は、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の光電変換素子が配置されるイメージセンサであり、Ａ/Ｄ変換回路(図示しない)等を合わせて具備している。このイメージセンサ１２は各光電変換素子により生成されるアナログ信号をデジタルデータに変換し、画像データを所定のサンプリングレートでＣＰＵ１３に順次出力する。
【００２３】
ＣＰＵ１３は、記憶部１４内の各種のプログラムの実行や演算処理をすることで、デジタルカメラ１０内の各部を制御する。ＣＰＵ１３は、イメージセンサ１２からの画像データを受け取り、記憶部１４に格納する。ＣＰＵ１３は、ユーザーの指示に基づき、若しくは所定の時間間隔で、記憶部１４に格納された画像データを制御装置２０に送信する。ＣＰＵ１３は、また、操作部１１から出力されたユーザー指示内容を受けつけ、これに基づいて制御コマンドを生成する。
【００２４】
例えば、一枚撮影モードにおいてシャッタースイッチ押圧操作があった場合には、「一枚撮影コマンド」が生成される。連続撮影モードにおいて、シャッタースイッチ押圧操作が開始されると「撮影開始コマンド」が生成され、そのシャッタースイッチ押圧操作が終了すると「撮影終了コマンド」が生成される。また、シャッタースイッチ半押し操作があった場合には、「ＡＦ動作コマンド」が生成される。生成された制御コマンドは、制御対象である各部（シャッター駆動装置１５、フォーカス駆動装置１６）に送信される。
【００２５】
制御コマンドは、デジタルカメラ１０のＣＰＵ１３により生成されるだけでなく、制御装置２０のＣＰＵ２３によって生成される（詳細は後述する）。この場合、デジタルカメラ１０側のＣＰＵ１３は、後述する制御装置２０から送信される各種制御コマンドをＩ/Ｆ部２５、１７を介して受信し、制御対象である各部（シャッター駆動装置１５、フォーカス駆動装置１６）に送信する。
【００２６】
また、デジタルカメラ１０のＣＰＵ１３は、制御装置２０側から制御コマンドを受け付けた場合にも、自身が生成した制御コマンドの場合と同様の動作を行う。例えば、デジタルカメラ１０のＣＰＵ１３は、制御装置２０から「撮影開始コマンド」を受け付けた後、「撮影終了コマンド」を受け付けるまでの間、他のコマンドを受け付けないようにしてもよい。
【００２７】
記憶部１４には、ＣＰＵ１３が実行する制御プログラムや画像データを含む各種データが格納される。
【００２８】
シャッター駆動装置１５は、ＣＰＵ１３から送信される各種コマンドに基づいて、シャッターに対して開閉動作を行わせる装置である。例えば、「一枚撮影コマンド」を受け取った場合、シャッター駆動装置１５は、シャッターの開閉動作を１回行い、撮影を実行する。また、シャッター駆動装置１５は、「撮影開始コマンド」を受け取った場合には、シャッターの開閉動作を連続して行う連続撮影を開始するとともに、「撮影終了コマンド」を受け取った場合には、連続して行われているシャッターの開閉動作を停止し、連続撮影を終了する。
【００２９】
フォーカス駆動装置１６は、ＣＰＵ１３から送信される各種コマンドに基づいて、レンズに対して合焦動作を行わせる装置である。例えば、フォーカス駆動装置１６は、「ＡＦ動作コマンド」を受け取った場合には、レンズに合焦動作を行わせる。この場合、レンズに合焦動作を行わせるタイミングは、シャッタースイッチが半押しされるタイミングに合わせて行ってもよい。
【００３０】
＜制御装置の構成＞
次に、制御装置２０の構成を説明する。
【００３１】
制御装置２０は、操作部２１、ディスプレイ２２、ＣＰＵ２３、記憶部２４、及び、Ｉ/Ｆ部２５を備える。
【００３２】
操作部２１は、ユーザーにより操作される複数の操作子（図示なし）を備える。操作部２１は、操作子が操作された場合に、その操作内容をユーザーの指示内容として受け付け、ＣＰＵ２３に出力する。また、操作部２１は、例えば、後述するディスプレイ２２と一体に構成されたタッチパネルにおける操作内容を受け付け、ＣＰＵ２３に出力してもよい。
【００３３】
操作部２１は、操作子またはタッチパネルを介して、ユーザーから、固定Ｆでの連続撮影指示又は追従Ｆでの連続撮影指示のいずれかを受け付ける。また操作部２１は、撮影枚数を指定しない無限枚数連続撮影指示又は撮影枚数を指定した有限枚数連続撮影指示を受け付ける。受け付けられた指示は、ＣＰＵ２３に出力される。
【００３４】
ディスプレイ２２には、制御操作に関する情報（例えば、撮影メニュー画面）が表示される。ユーザーは、ディスプレイ２２を見ながら操作部２１を操作することで、所望の指示を制御装置２０に与える。図３は、ユーザーが固定Ｆでの連続撮影指示を行う場合の撮影メニュー画面表示を示す説明図である。図４は、ユーザーが追従Ｆでの連続撮影指示を行う場合の撮影メニュー画面表示を示す説明図である。
【００３５】
以下、ユーザーが固定Ｆでの連続撮影指示を行った場合について、図３に従って順に説明する。
【００３６】
図３（ａ）は、初期の撮影メニュー画面３０ａが表示された状態を示す図である。撮影メニュー画面３０ａには、「一枚撮影」と「連続撮影」とを選択する画面が表示される。図示例では、「連続撮影」が選択される。
【００３７】
図３（ｂ）は、「連続撮影」が選択された状態の撮影メニュー画面３０ｂである。「連続撮影」を選択すると、「固定Ｆ連写」と「追従Ｆ連写」とを選択する画面が表示される。図示例では、「固定Ｆ連写」が選択される。
【００３８】
図３（ｃ）は、「固定Ｆ連写」が選択された状態の撮影メニュー画面３０ｃである。「固定Ｆ」を選択すると、撮影枚数を指定するか否かを選択する画面が表示される。図示例では、「枚数指定あり」が選択される。
【００３９】
図３（ｄ）は、「枚数指定あり」を選択した場合の撮影メニュー画面３０ｄである。「枚数指定あり」を選択すると、撮影枚数を入力する画面が表示される。図示例では、撮影枚数は、「１０枚」に指定されている。
【００４０】
次に、ユーザーが追従Ｆでの連続撮影指示を行った場合について、図４に従って順に説明する。
【００４１】
図４（ａ）は、初期の撮影メニュー画面４０ａが表示された状態を示す図である。撮影メニュー画面４０ａには、「一枚撮影」と「連続撮影」とを選択する画面が表示される。図示例では、「連続撮影」が選択される。
【００４２】
図４（ｂ）は、「連続撮影」が選択された状態の撮影メニュー画面４０ｂである。「連続撮影」を選択すると、「固定Ｆ連写」と「追従Ｆ連写」とを選択する画面が表示される。図示例では、「追従Ｆ連写」が選択される。
【００４３】
図４（ｃ）は、「追従Ｆ連写」が選択された状態の撮影メニュー画面４０ｃである。「追従Ｆ」を選択した場合には、枚数の指定が行われ、撮影枚数を入力する画面が表示される。図示例では、撮影枚数は、「２０枚」に指定されている。
【００４４】
記憶部２４には、ＣＰＵ２３が実行する制御プログラム、画像データを含む各種データ等が格納される。例えば、記憶部２４には、制御装置２０の各種機能を実現するプログラムが格納される。
【００４５】
ＣＰＵ２３は、記憶部２４内の各種プログラムの実行、演算処理等を行うことで、制御装置２０内の各部を制御する。ＣＰＵ２３は、デジタルカメラ１０から送信された画像データを受け取り、記憶部２４に格納する。ＣＰＵ２３は、また、操作部２１から出力された操作内容を受けつけ、これに基づいて制御コマンドを生成する。
【００４６】
例えば、ＣＰＵ２３は、ユーザーから固定Ｆでの連続撮影指示を受け付けると、デジタルカメラ１０に対して焦点を合わせるように指示する「ＡＦ動作コマンド」及び画像を一枚撮影するよう指示する「撮影開始コマンド」を出力する。また、ＣＰＵ２３は、追従Ｆでの連続撮影指示を受け付けると、デジタルカメラ１０に対して焦点を合わせるように指示する「ＡＦ動作コマンド」及び画像を一枚撮影するよう指示する「一枚撮影コマンド」を、交互に繰り返し出力する。
【００４７】
また例えば、ＣＰＵ２３は、無限枚数連続撮影指示を受け付けると、連続撮影開始時にデジタルカメラ１０に対して連続撮影の開始を指示する「撮影開始コマンド」を出力し、連続撮影終了時にデジタルカメラ１０に対して連続撮影の終了を指示する「撮影終了コマンド」を出力する。また、ＣＰＵ２３は、有限枚数連続指示を受け付けると、指定された撮影枚数の回数だけ「一枚撮影コマンド」を交互に繰り返し出力する。
【００４８】
ＣＰＵ２３は、デジタルカメラ１０に対して出力された各種コマンドを、Ｉ/Ｆ部２５、１７を介して、デジタルカメラ１０に送信する。
【００４９】
次に、制御装置２０の動作について説明する。図５は、撮影メニュー画面において、「連続撮影」が選択された場合の制御装置２０の動作を示すフローチャートである。
【００５０】
ＣＰＵ２３は、操作部２１を介してユーザーからの指示が、「追従Ｆ連写」であるか「固定Ｆ連写」であるかの判定を行う(ステップＳ１)。
【００５１】
ステップＳ１の判定結果が、「固定Ｆ連写」であった場合、ＣＰＵ２３は、デジタルカメラ１０に「ＡＦ動作コマンド」を送信する（ステップＳ１０）。
【００５２】
ＣＰＵ２３は、操作部２１を介して撮影枚数の指定の指示があったか否かを判定する（ステップＳ１１）。
【００５３】
撮影枚数の指定指示がない場合（ステップＳ１１:なし）、ＣＰＵ２３は、デジタルカメラ１０に「撮影開始コマンド」を送信する（ステップＳ１２）。
【００５４】
デジタルカメラ１０のＣＰＵ１３は、ステップＳ１０で送信された「ＡＦ動作コマンド」及びステップＳ１２で送信された「撮影開始コマンド」をそれぞれ受信し、それぞれフォーカス駆動装置１６及びシャッター駆動装置１５に送信する。「ＡＦ動作コマンド」を受信したフォーカス駆動装置１６は、例えば、シャッター駆動装置１５が動作する直前（例えば数十ミリ秒前等）に、レンズに合焦動作を行わせる。「撮影開始コマンド」を受信したシャッター駆動装置１５は、シャッターの開閉動作を連続して行う連続撮影を開始する。
【００５５】
撮影された画像は、画像データとしてデジタルカメラ１０の記憶部１４に一時的に格納されるとともに、適宜制御装置２０に送信される。制御装置２０のＣＰＵ２３は、受信した画像データを順次記憶部２４に格納する（ステップＳ１３）。
【００５６】
次に、ＣＰＵ２３は、操作部２１を介してユーザーから撮影終了の指示があったか否かを判定する（ステップＳ１４）。
【００５７】
撮影終了の指示がない場合は（ステップＳ１４：Ｎｏ）、ステップＳ１１に戻る。
【００５８】
撮影終了の指示があった場合には（ステップＳ１４：Ｙｅs）、ＣＰＵ２３は、「撮影終了コマンド」を出力し、デジタルカメラ１０に送信し処理を終了する（ステップＳ１５）。
【００５９】
上記のように、固定Ｆで、かつ連続撮影の場合には、制御装置２０を介した操作であっても、デジタルカメラ１０を直接操作する場合と同様に、撮影開始及び撮影終了の２回の指示に基づいて撮影を行う。これは、例えば、動かない被写体を撮影する場合であって、かつ、デジタルカメラ１０を固定して撮影する場合に最適な制御方法である。
【００６０】
ステップＳ１１において、枚数指定があると判定された場合には（ステップＳ１１：あり）、ＣＰＵ２３は、デジタルカメラ１０に対して「一枚撮影コマンド」を送信する（ステップＳ１６）。
【００６１】
デジタルカメラ１０のＣＰＵ１３は、ステップＳ１０で送信された「ＡＦ動作コマンド」及びステップＳ１５で送信された「一枚撮影コマンド」をそれぞれ受信し、それぞれフォーカス駆動装置１６及びシャッター駆動装置１５に送信する。「ＡＦ動作コマンド」を受信したフォーカス駆動装置１６は、例えば、シャッター駆動装置１５が動作する直前（例えば数十ミリ秒前等）に、レンズに合焦動作を行わせる。「一枚撮影コマンド」を受信したシャッター駆動装置１５は、シャッターの開閉動作１回行い、撮影を実行する。
【００６２】
撮影された画像は、画像データとしてデジタルカメラ１０の記憶部２４に一時的に格納されるとともに、適宜制御装置２０に送信される。制御装置２０のＣＰＵ２３は、受信した画像データを順次記憶部２４に格納する（ステップＳ１７）。
【００６３】
次に、ＣＰＵ２３は、ユーザーの指定枚数分の撮影が行われたか否かを判定する（ステップＳ１８）。例えば、ＣＰＵ２３は、「一枚撮影コマンド」の送信回数をカウントしておき、これに基づいて判定を行う。
【００６４】
指定枚数分の撮影が行われていない場合には（ステップＳ１８：Ｎｏ）、ステップＳ１６に戻る。
【００６５】
一方、指定枚数分の撮影が行われた場合には（ステップＳ１８：Ｙｅs）、処理を終了する。
【００６６】
これにより、連写機能に追従Ｆ機能を組み合わせて使用できないデジタルカメラを用いた場合であっても、固定Ｆ機能及び連写機能を使用する際に、撮影枚数を設定でき、所望の枚数分だけ連続撮影することができる。
【００６７】
ステップＳ１の判定結果が、「追従Ｆ連写」であった場合、ＣＰＵ２３は、デジタルカメラ１０に「ＡＦ動作コマンド」を送信する（ステップＳ２０）。
【００６８】
デジタルカメラ１０のＣＰＵ１３は、ステップＳ２０で送信された「ＡＦ動作コマンド」受信し、フォーカス駆動装置１６に送信する。「ＡＦ動作コマンド」を受信したフォーカス駆動装置１６は、レンズに合焦動作を行わせる。レンズの合焦動作が行われた場合には、ＣＰＵ１３は、その旨をＩ/Ｆ１７、２５を介して、制御装置２０のＣＰＵ２３に通知する。
【００６９】
ＣＰＵ２３は、デジタルカメラ１０から、レンズの合焦動作が行われた旨の通知があったか否かを判定する（ステップＳ２１）。
【００７０】
レンズの合焦動作が行われた旨の通知がないと判定した場合には（ステップＳ２１：Ｎｏ）、ＣＰＵ２３は、再度ステップＳ２１の判定を行う。
【００７１】
レンズの合焦動作が行われた旨の通知があると判定した場合には（ステップＳ２１：Ｙｅｓ）、ＣＰＵ２３は、デジタルカメラ１０に対して「一枚撮影コマンド」を送信する（ステップＳ２２）。
【００７２】
デジタルカメラ１０のＣＰＵ１３は、ステップＳ２０で送信された「ＡＦ動作コマンド」及びステップＳ２２で送信された「一枚撮影コマンド」をそれぞれ受信し、それぞれフォーカス駆動装置１６及びシャッター駆動装置１５に送信する。「ＡＦ動作コマンド」を受信したフォーカス駆動装置１６は、例えば、シャッター駆動装置１５が動作する直前（数十ミリ秒前等）に、レンズに合焦動作を行わせる。「一枚撮影コマンド」を受信したシャッター駆動装置１５は、シャッターの開閉動作１回行い、撮影を実行する。
【００７３】
撮影された画像は、画像データとしてデジタルカメラ１０の記憶部１４に格納されるとともに、制御装置２０に送信される。制御装置２０のＣＰＵ２３は、受信した画像データを順次記憶部２４に格納する（ステップＳ２３）。
【００７４】
次に、ＣＰＵ２３は、ユーザーの指定枚数分の撮影が行われたか否かを判定する（ステップＳ２４）。例えば、ＣＰＵは２３、「一枚撮影コマンド」の送信回数をカウントしておき、これに基づいて判定を行う。
【００７５】
指定枚数分の撮影が行われていない場合には（ステップＳ２４：Ｎｏ）、ステップＳ２０に戻る
一方、指定枚数分の撮影が行われた場合には（ステップＳ２４：Ｙｅs）、処理を終了する。
【００７６】
これにより、連写機能に追従Ｆ機能を組み合わせて使用できないデジタルカメラを用いた場合であっても、連写機能使用の際に、併せて追従Ｆ機能を使用でき、連続撮影される画像のピンボケを防止することができる。また、連続撮影の際の枚数指定が出来ないデジタルカメラ１０においても、連写機能を使用する際に、撮影枚数を設定でき、所望の枚数分だけ連続撮影することができる。
【００７７】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００７８】
１      撮影システム
２      ケーブル
１０    デジタルカメラ
１１    操作部
１２    イメージセンサ
１３    ＣＰＵ
１４    記憶部
１５    シャッター駆動装置
１６    フォーカス駆動装置
１７    Ｉ/Ｆ部
２０    制御装置
２１    操作部
２２    ディスプレイ
２５    Ｉ/Ｆ部
２４    記憶部
３０    撮影メニュー画面
【図１】
2011197210.tif 000003
【図２】
2011197210.tif 000004
【図３】
2011197210.tif 000005
【図４】
2011197210.tif 000006
【図５】
2011197210.tif 000007